(57)【要約】    【課題】荷口の切替に伴う農産物の生産者を製品箱毎に特定できる農産物選別包装施設における製品箱管理システムを提供する。    【解決手段】荷口の切替が指示されると、演算制御管理装置ｃには、複数の自動秤量機４にそれぞれ対応して生産者別の箱詰開始から箱詰終了までの時刻が自動設定され、各自動秤量機４にて箱詰終了後の製品箱を搬送コンベア8に合流させて搬送させる途中において、先端位置検出センサ９に到達する製品箱の通過時刻と、バーコードリーダー10で読み取った製品箱6を箱詰した自動秤量機4の機番に基づき当該機番の自動秤量機での箱詰時間帯を求める。そして、この特定機番の自動秤量機４による箱詰時間帯と、当該機番の自動秤量機４に設定された生産者別の箱詰開始から終了までの時刻とを対比することで当該製品箱に箱詰されている農産物の生産者を特定し、バーコードリーダー10で読み取った段ボール箱番号に対応して特定した生産者名を記憶させることができる。【選択図】    図２
2005103512.tif 000002
【特許請求の範囲】
【請求項１】
選別コンベアで搬送される生産者別の農産物を評価装置により生産者別に評価し該評価した結果に基づいて、前記農産物を前記選別コンベアの搬送路に沿って仕分区分別に設けられた複数の箱詰装置により製品箱に箱詰して送り出す農産物の選別包装装置と、
前記各箱詰装置から送り出された製品箱を合流搬送する製品搬送コンベアと、
前記製品搬送コンベア上の所定位置を製品箱が通過するのを検知する製品箱通過センサと、
荷口の切替によって設定される生産者別の荷替時刻から前記各箱詰装置を経て前記製品箱通過センサが製品箱の通過を検知する製品箱通過時刻までの時間要素に基づいて前記製品箱通過センサで検知された製品箱に箱詰されている農産物の生産者を特定する管理手段と、
を有し、前記管理手段は、前記各箱詰装置に対応して設けられ、該各箱詰装置における生産者別の箱詰開始時刻から箱詰終了時刻までの箱詰作業時刻を設定する生産者別の箱詰時刻設定部と、前記製品箱通過時刻及び前記製品箱通過センサを通過する当該製品箱に対して箱詰した前記箱詰装置における前記生産者別の箱詰作業時刻に基づいて生産者を特定する生産者特定部とを有することを特徴とする農産物選別包装施設における製品箱の管理システム。
【請求項２】
前記管理手段の生産者特定部は、前記製品箱通過センサを通過する同一箱詰装置で箱詰を行った先行製品箱の製品箱通過時刻と後行製品箱の製品箱通過時刻から該後行製品箱の箱詰時間帯を演算し、該箱詰時間帯と、前記生産者別の箱詰作業時刻とから１又は複数の生産者名を特定することを特徴とする請求項１に記載の農産物選別包装施設における製品箱の管理システム。
【請求項３】
前記各箱詰装置に対応して配置され、農産物が箱詰された製品箱に当該箱詰装置の固有の識別情報及び、製品箱に対する固有識別情報を形成する固有識別情報形成手段と、前記製品搬送コンベア上で製品箱に形成された箱詰装置の固有の識別情報及び製品箱に対する固有識別情報を読み取る読み取り手段と、を有し、前記管理手段は前記読み取り手段で読み取った箱詰装置の固有の識別情報に基づいて箱詰装置毎に予め設定されている仕分区分を読み出して当該製品箱の仕分区分を特定し、該仕分区分と前記生産者特定部で特定した生産者名とを製品箱の固有識別情報及び箱詰装置の固有の識別情報と対応させて記憶手段に記憶させることを特徴とする請求項１または２に記載の農産物選別包装施設における製品箱の管理システム。
【請求項４】
前記各箱詰装置に対応して配置され、農産物が箱詰された製品箱に当該箱詰装置の固有の識別情報を形成する第１の固有識別情報形成手段と、
前記製品箱に対し、各製品箱の固有識別情報を形成する第２の固有識別情報形成手段と、
前記製品搬送コンベア上で製品箱に形成された箱詰装置の固有の識別情報及び製品箱の固有識別情報を読み取る識別情報読み取り手段と、
を有し、
前記管理手段は前記識別情報読み取り手段で読み取った箱詰装置の固有の識別情報に基づいて当該製品箱の仕分区分を特定すると共に、特定した生産者名を読み取った製品箱の固有識別情報と対応させて記憶手段に記憶させることを特徴とする請求項１または２に記載の農産物選別包装施設における製品箱の管理システム。
【請求項５】
選別コンベアで搬送される生産者別の農産物を評価装置により生産者別に評価し該評価した結果に基づいて、前記農産物を前記選別コンベアの搬送路に沿って仕分区分別に設けられた複数の箱詰装置により箱詰して送り出す農産物の選別包装装置と、
前記各箱詰装置に対応して配置され、製品箱に箱詰されている農産物の生産者名を当該製品箱に印字する印字手段と、
荷口の切替によって設定される生産者別の荷替時刻から前記各箱詰装置における生産者別の箱詰開始時刻から箱詰終了時刻までの箱詰作業時刻を設定し、前記箱詰装置で製品箱に箱詰されている農産物の生産者を特定する管理手段と、
を有し、前記管理手段は、箱詰が終了した時刻と生産者別の箱詰作業時刻に基づいて生産者名を特定し、箱詰された製品箱に特定した生産者名を印字する印字指令を前記印字手段に出力することを特徴とする農産物選別包装施設における製品箱の管理システム。
【請求項６】
前記製品搬送コンベアの下流側に設けられ、該製品搬送コンベアで搬送される製品箱に形成された箱詰装置の固有の識別情報を読み取る仕分用読み取り手段と、前記仕分用読み取り手段で読み取った箱詰装置の固有の識別情報に基づいて特定される仕分区分別に製品箱を仕分排出する仕分排出手段とを有することを特徴とする請求項３または４に記載の農産物選別包装施設における製品箱の管理システム。
【請求項７】
選別コンベアで搬送される生産者別の農産物を評価装置により生産者別に評価し該評価した結果に基づいて、前記農産物を前記選別コンベアの搬送路に沿って仕分区分別に設けられた複数の箱詰装置により製品箱に箱詰して送り出す農産物の選別包装装置と、
前記各箱詰装置に対応して配置され、農産物が箱詰された製品箱に当該箱詰装置の固有の識別情報を形成する固有識別情報形成手段と、
前記箱詰装置の固有の識別情報と当該箱詰装置毎に予め設定されている農産物の仕分区分とを対応させて記憶する管理手段と、
前記各箱詰装置から送り出された製品箱を合流搬送する製品搬送コンベアと、
該製品搬送コンベアで搬送される製品箱の前記箱詰装置の固有の識別情報を読み取る仕分用読み取り手段と、
前記仕分用読み取り手段で読み取った箱詰装置の固有の識別情報に基づいて前記管理手段で記憶されている仕分区分を読み出し、該仕分区分別に製品箱を仕分排出する仕分排出手段と、
を有することを特徴とする農産物選別包装施設における製品箱の管理システム。
【請求項８】
選別コンベアで搬送される生産者別の農産物を評価装置により生産者別に評価し該評価した結果に基づいて、前記農産物を前記選別コンベアの搬送路に沿って仕分区分別に設けられた複数の箱詰装置により製品箱に箱詰して送り出す農産物の選別包装装置と、
前記各箱詰装置に対応して配置され、農産物が箱詰された製品箱に当該箱詰装置の固有の識別情報を形成する第１の固有識別情報形成手段と、
前記各箱詰装置から送り出された製品箱を合流搬送する製品搬送コンベアと、
前記製品搬送コンベア上を搬送される製品箱の前記固有の識別情報が形成される領域を撮影し、得られる全体画像から該固有の識別情報を読み取る第１の識別情報読み取り手段と、
前記第１の識別情報読み取り手段で読み取った前記箱詰装置の固有の識別情報を当該製品箱にバーコード、又は文字、記号により形成する第２の固有識別情報形成手段と、
前記箱詰装置の固有の識別情報と当該箱詰装置毎に予め設定されている農産物の仕分区分とを対応させて記憶する管理手段と、
該製品搬送コンベアで搬送される製品箱に前記第２の固有識別情報形成手段で形成されたバーコード、又は文字、記号で表示される前記箱詰装置の固有の識別情報を読み取る第２の識別情報読み取り手段と、
前記第２の識別情報読み取り手段で読み取った製品箱に表示される前記箱詰装置の固有の識別情報に基づいて前記管理手段で記憶されている仕分区分を読み出し、該仕分区分別に製品箱を仕分排出する仕分排出手段と、
を有することを特徴とする農産物選別包装施設における製品箱の管理システム。
【発明の詳細な説明】
【技術分野】
【０００１】
本発明は、農産物の選別包装装置によって例えばみかんや柿などの農産物を等級別及び階級別に選別仕分けして段ボール箱等の箱に収納して出荷される製品箱に対し、当該箱内に収納される農産物の生産者を一箱単位で管理する農産物選別包装施設における製品箱管理システムに関するものである。
【背景技術】
【０００２】
従来、農産物の集・出荷場或いは農産物を選別して包装出荷する農産物の選果場において、農産物を所定の仕分区分（等級別及び階級別）で分類分けして段ボール箱等の箱に箱詰めされた製品箱には、箱詰めされている農産物の「名称（品目）」、「品種」、「等級」、「階級」、「数量（重量）」、「選果場名」などの書誌的事項が段ボール箱の側面或いは上面に直接印字され、或いは印字されたラベルが貼り付けられて各地の市場や消費地に向けて出荷されている。
【０００３】
選果場での作業は、農産物を所定の分類で仕分けして品質の揃った農産物をグループ別に包装・出荷するための選別仕分け作業と、分類分けした農産物の評価データ（等級、階級）を生産者毎に集計する作業（生産者に対する代価生産作業）とがある。
【０００４】
このような選別仕分け作業と生産者に対する代価生産作業とを行える農産物の選別包装装置として、以下に記載した構成のものが提案されている。
【０００５】
この農産物の選別包装装置は、農産物が供給される荷受装置部と、この荷受載置部から供給された農産物を搬送させながら洗浄等の前処理を行う前処理装置と、この前処理装置を経た農産物を選別人が目視検査で腐敗した農産物等を排除すると共に、農産物を手作業で「優」「秀」「良」といった等級に分ける等級手選別機と、この等級手選別機から等級別にそれぞれ搬送される農産物をさらに階級別に選別して各階級毎に対応して設けられた分流コンベアに排出する階級選果装置と、これらの複数の分流コンベアに排出された等・階級別の農産物を段ボール箱等の箱に箱詰すると共に箱詰された農産物の重量を計量する電子秤を備えた計量箱詰装置と、供給される農産物の生産者が替わる際に、切替わり後における荷口の生産者コード番号、持込総重量をインプットすると共に荷替わりを指示する荷替わり設定ボタンを備えた操作卓と、この操作卓からの入力情報及び荷替わり設定の選択に伴って出力される荷替信号が入力されると共に、各計量箱詰装置の電子秤からの計測値が入力される電算機とを有している（特許文献１）。
【０００６】
そして、荷受装置部に供給される農産物の荷口が切替わる荷替わり時に生産者が操作卓の設定ボタンを押すと荷替わり信号が等級手選別機の近傍に配置した表示装置に出力され、該表示装置に荷口の切替わりを表示させ、この表示を見た等級手選別機に配置されている選別人が搬送される農産物の荷替わり部分での先の荷口の後端と後の荷口の先端との間隔が適正か否かを判断し、近すぎて混入するおそれがある場合には、等級手選別機と前処理装置の駆動を一時的に停止して先の荷口と後の荷口とを必要な間隔に広げるようにしている。
【０００７】
また、荷替わり設定により、切替わり前における荷口の農産物の流れの後端と同期して荷替信号が各電子秤に送られ、各電子秤は農産物の箱詰重量を読み取って当該荷口の等・階級毎の箱詰総重量、選別された農産物の全重量等を算出する。
【０００８】
そして、農産物が箱詰された段ボール箱などの箱の側面あるいは上面に、農産物の名称（品目）、品種名、等級、階級、数量（重量）、選果場名の書誌的事項が直接印字され、或いは印字されたラベルが貼り付けられて各地の市場や消費地に向けて出荷されている。
【特許文献１】実公昭62-5262号公報
【発明の開示】
【発明が解決しようとする課題】
【０００９】
ところで、従来方式の選果場から出荷される農産物が箱詰されている製品箱に印刷されあるいは貼り付けられているラベルの印刷項目には、上述のように、農産物の名称（品目）、品種名、等級、階級、数量（重量）、選果場名が表示されているが、例えば生産者について表示されることがない。
【００１０】
この理由として、従来の選別包装施設において、通常、荷口の管理は評価データを得るまでとしていたため、それ以後については特に管理することをしていない。
【００１１】
したがって、選果場から出荷後の市場や消費地において、仮に製品箱内に不具合が生じていた場合、どこの選果場でどの等階級までは追跡調査が可能だとしても、それ以上に調査範囲を広げて生産者を特定することはできない。
【００１２】
このことから、逆に、各生産者が消費者の声に基づいてこれらの不具合をフィードバックし、生産活動に反映させることができない。
【００１３】
また、近時、食品の生産履歴などを明らかにすることが求められつつあるが、農産物を各生産者個々に選別包装して出荷する場合には、各生産者の情報を比較的容易に付与できるが、各生産者から持ち込まれた農産物を大量に処理する選果場にあっては、各生産者の情報を製品毎に管理することは困難であった。
【００１４】
本願発明は、このような従来の問題に鑑みなされたもので、多数の生産者別に持ち込まれた農産物を通常の選果ラインの構成を大きく変えることなく生産者の情報を製品箱毎に付与できる農産物選別包装施設における製品箱管理システムを提供することを目的とする。
【課題を解決するための手段】
【００１５】
第１の発明は、請求項１に記載のように、選別コンベアで搬送される生産者別の農産物を評価装置により生産者別に評価し該評価した結果に基づいて、前記農産物を前記選別コンベアの搬送路に沿って仕分区分別に設けられた複数の箱詰装置により製品箱に箱詰して送り出す農産物の選別包装装置と、前記各箱詰装置から送り出された製品箱を合流搬送する製品搬送コンベアと、前記製品搬送コンベア上の所定位置を製品箱が通過するのを検知する製品箱通過センサと、荷口の切替によって設定される生産者別の荷替時刻から前記各箱詰装置を経て前記製品箱通過センサが製品箱の通過を検知する製品箱通過時刻までの時間要素に基づいて前記製品箱通過センサで検知された製品箱に箱詰されている農産物の生産者を特定する管理手段と、を有し、前記管理手段は、前記各箱詰装置に対応して設けられ、該各箱詰装置における生産者別の箱詰開始時刻から箱詰終了時刻までの箱詰作業時刻を設定する生産者別の箱詰時刻設定部と、前記製品箱通過時刻及び前記製品箱通過センサを通過する当該製品箱に対して箱詰した前記箱詰装置における前記生産者別の箱詰作業時刻に基づいて生産者を特定する生産者特定部とを有することを特徴とする農産物選別包装施設における製品箱の管理システムとするものである。
【００１６】
第２の発明は、請求項２に記載のように、上記第１の発明で、前記管理手段の生産者特定部は、前記製品箱通過センサを通過する同一箱詰装置で箱詰を行った先行製品箱の製品箱通過時刻と後行製品箱の製品箱通過時刻から該後行製品箱の箱詰時間帯を演算し、該箱詰時間帯と、前記生産者別の箱詰作業時刻とから１又は複数の生産者名を特定することを特徴とする。
【００１７】
第３の発明は、請求項３に記載のように、上記いずれかの発明で、前記各箱詰装置に対応して配置され、農産物が箱詰された製品箱に当該箱詰装置の固有の識別情報及び、製品箱に対する固有識別情報を形成する固有識別情報形成手段と、前記製品搬送コンベア上で製品箱に形成された箱詰装置の固有の識別情報及び製品箱に対する固有識別情報を読み取る読み取り手段と、前記管理手段は前記読み取り手段で読み取った箱詰装置の固有の識別情報に基づいて箱詰装置毎に予め設定されている仕分区分を読み出して当該製品箱の仕分区分を特定し、該仕分区分と前記生産者特定部で特定した生産者名とを製品箱の固有識別情報及び箱詰装置の固有の識別情報と対応させて記憶手段に記憶させることを特徴とする。
【００１８】
第４の発明は、請求項４に記載のように、上記した第１または第２の発明で、前記各箱詰装置に対応して配置され、農産物が箱詰された製品箱に当該箱詰装置の固有の識別情報を形成する第１の固有識別情報形成手段と、前記製品箱に対し、各製品箱の固有識別情報を形成する第２の固有識別情報形成手段と、前記製品搬送コンベア上で製品箱に形成された箱詰装置の固有の識別情報及び製品箱の固有識別情報を読み取る識別情報読み取り手段と、を有し、前記管理手段は前記識別情報読み取り手段で読み取った箱詰装置の固有の識別情報に基づいて当該製品箱の仕分区分を特定すると共に、特定した生産者名を読み取った製品箱の固有識別情報と対応させて記憶手段に記憶させることを特徴とする。
【００１９】
第５の発明は、請求項５に記載のように、選別コンベアで搬送される生産者別の農産物を評価装置により生産者別に評価し該評価した結果に基づいて、前記農産物を前記選別コンベアの搬送路に沿って仕分区分別に設けられた複数の箱詰装置により箱詰して送り出す農産物の選別包装装置と、前記各箱詰装置に対応して配置され、製品箱に箱詰されている農産物の生産者名を当該製品箱に印字する印字手段と、荷口の切替によって設定される生産者別の荷替時刻から前記各箱詰装置における生産者別の箱詰開始時刻から箱詰終了時刻までの箱詰作業時刻を設定し、前記箱詰装置で製品箱に箱詰されている農産物の生産者を特定する管理手段と、を有し、前記管理手段は、箱詰が終了した時刻と生産者別の箱詰作業時刻に基づいて生産者名を特定し、箱詰された製品箱に特定した生産者名を印字する印字指令を前記印字手段に出力することを特徴とする農産物選別包装施設における製品箱の管理システムとするものである。
【００２０】
第６の発明は、請求項６に記載のように、上記第３または第４の発明で、前記製品搬送コンベアの下流側に設けられ、該製品搬送コンベアで搬送される製品箱に形成された箱詰装置の固有の識別情報を読み取る仕分用読み取り手段と、前記仕分用読み取り手段で読み取った箱詰装置の固有の識別情報に基づいて特定される仕分区分別に製品箱を仕分排出する仕分排出手段とを有することを特徴とする。
【００２１】
第７の発明は、請求項７に記載のように、選別コンベアで搬送される生産者別の農産物を評価装置により生産者別に評価し該評価した結果に基づいて、前記農産物を前記選別コンベアの搬送路に沿って仕分区分別に設けられた複数の箱詰装置により製品箱に箱詰して送り出す農産物の選別包装装置と、前記各箱詰装置に対応して配置され、農産物が箱詰された製品箱に当該箱詰装置の固有の識別情報を形成する固有識別情報形成手段と、前記箱詰装置の固有の識別情報と当該箱詰装置毎に予め設定されている農産物の仕分区分とを対応させて記憶する管理手段と、前記各箱詰装置から送り出された製品箱を合流搬送する製品搬送コンベアと、該製品搬送コンベアで搬送される製品箱の前記箱詰装置の固有の識別情報を読み取る仕分用読み取り手段と、前記仕分用読み取り手段で読み取った箱詰装置の固有の識別情報に基づいて前記管理手段で記憶されている仕分区分を読み出し、該仕分区分別に製品箱を仕分排出する仕分排出手段と、を有することを特徴とする農産物選別包装施設における製品箱の管理システムとするものである。
【００２２】
第８の発明は、請求項８に記載のように、選別コンベアで搬送される生産者別の農産物を評価装置により生産者別に評価し該評価した結果に基づいて、前記農産物を前記選別コンベアの搬送路に沿って仕分区分別に設けられた複数の箱詰装置により製品箱に箱詰して送り出す農産物の選別包装装置と、前記各箱詰装置に対応して配置され、農産物が箱詰された製品箱に当該箱詰装置の固有の識別情報を形成する第１の固有識別情報形成手段と、前記各箱詰装置から送り出された製品箱を合流搬送する製品搬送コンベアと、前記製品搬送コンベア上を搬送される製品箱の前記固有の識別情報が形成される領域を撮影し、得られる全体画像から該固有の識別情報を読み取る第１の識別情報読み取り手段と、前記第１の識別情報読み取り手段で読み取った前記箱詰装置の固有の識別情報を当該製品箱にバーコード、又は文字、記号により形成する第２の固有識別情報形成手段と、前記箱詰装置の固有の識別情報と当該箱詰装置毎に予め設定されている農産物の仕分区分とを対応させて記憶する管理手段と、該製品搬送コンベアで搬送される製品箱に前記第２の固有識別情報形成手段で形成されたバーコード、又は文字、記号で表示される前記箱詰装置の固有の識別情報を読み取る第２の識別情報読み取り手段と、前記第２の識別情報読み取り手段で読み取った製品箱に表示される前記箱詰装置の固有の識別情報に基づいて前記管理手段で記憶されている仕分区分を読み出し、該仕分区分別に製品箱を仕分排出する仕分排出手段と、を有することを特徴とする農産物選別包装施設における製品箱の管理システムとするものである。
【発明の効果】
【００２３】
請求項１に係る発明によれば、荷替後における先頭の農産物が各箱詰装置に到達するのに要する所要時間は各箱詰装置までの搬送距離及び搬送速度により決定されるので、荷替時刻が決まれば各箱詰装置での同一生産者が持ち込んだ農産物の箱詰作業時刻が設定される。また、製品箱が各箱詰装置から製品箱通過センサまで到達するのに要する所要時間も同様にして決定されるので、製品箱通過センサを通過した製品箱がどの箱詰装置から送り出されたかが分かっていれば、製品箱が製品箱通過センサを通過した製品箱通過時刻からその製品箱に農産物を箱詰した特定の箱詰装置における箱詰終了時刻が割り出せる。そして、各箱詰装置では荷替に伴う生産者別の箱詰作業時刻が設定されているので、時間管理という簡単な方法で製品箱通過センサを通過した製品通過時刻から製品箱に箱詰されている農産物の生産者を特定することができる。
【００２４】
このため、製品箱に固有番号などを付与し、この固有番号と生産者名とを対応させて記憶手段に記憶させておけば、固有番号を特定した消費者、顧客などからの電話などによる問い合わせがあっても、直ぐに生産者が判明し、消費者、顧客などからの情報を生産者にフィードバックすることができる。
【００２５】
請求項２に係る発明によれば、各箱詰装置において農産物の箱詰に要した箱詰時間帯が判明するので、この箱詰時間帯が一人の生産者の箱詰作業時刻内であれば、その一人の生産者が箱詰されている農産物の生産者であると特定でき、複数の生産者の箱詰作業時刻内に入っていれば、これら複数の生産者が生産した農産物が箱詰されていると推定することができる。
【００２６】
請求項３に係る発明によれば、箱詰装置の固有の識別情報を読み取ることで箱詰装置毎に予め設定されている仕分区分が読み出され、農産物の仕分区分を特定することができるため、生産者名と共に製品箱を一単位として等級・階級といった評価情報も併せて管理することができる。
【００２７】
請求項４に係る発明によれば、製品箱の固有の識別番号を製品箱に形成する第２の固有識別情報形成手段は、例えば製品搬送コンベアに１台配置するだけで良く、コストダウンを図ることができる。また、第１の固有識別情報形成手段としては、必要事項が予め印刷されているラベルを段ボール箱等の製品箱に貼り付けるラベラー、必要事項を製品箱に直接印字するプリンターなどの印字手段、あるいは特定位置に針孔を開ける針孔形成装置などが用いられる。
【００２８】
請求項５に係る発明によれば、各箱詰装置毎にプリンター等の印字手段を設ける必要はあるが、箱詰が終了した時点で箱詰した農産物の生産者名を製品箱に該印字手段により印字することができる。
【００２９】
請求項６に係る発明によれば、仕分用読み取り手段で箱詰装置の固有の識別情報を読み取るだけで、製品箱を仕分区分別に仕分して排出することができる。
【００３０】
請求項７に係る発明によれば、農産物を仕分区分別に製品箱に箱詰し、製品搬送コンベア上を搬送される多種の仕分区分別の製品箱をそれぞれ仕分区分別に仕分排出する際、製品箱の箱詰装置の固有の識別情報を読み取るだけで、製品箱を仕分排出することができる。
【００３１】
請求項８に係る発明によれば、管理手段における製品箱の仕分区分を認識する際に撮影機能を備えた高価な装置となる第１の識別情報読み取り手段を必要とするが、製品箱の仕分排出の際には、バーコードリーダーなどの廉価な第２の識別情報読み取り手段を用意すれば良いので、システム全体のコストダウンを図ることができる。
【発明を実施するための最良の形態】
【００３２】
（第１の実施の形態）
図１は本発明による農産物選別包装施設における製品箱管理システムの第１の実施の形態を示す。
【００３３】
図１に示す本実施の形態による製品箱の管理システムは、供給される生産者別の例えばみかん等の農産物を評価装置により生産者別に評価（等級及び階級別）し、評価結果に基づいて農産物を選別コンベアの搬送路に沿って仕分区分別に設けられた箱詰装置において、自動秤量機により計量して段ボール箱に所定重量分の農産物を箱詰する選別包装装置を備えた選別包装ラインａと、選別包装ラインａから排出された梱包済み段ボール箱に梱包されている農産物の品種、等級、階級を製品箱である当該段ボール箱に表示させると共に、当該段ボール箱の固有識別番号に基づいて当該段ボール箱内の農産物の生産者をサーバを含む演算制御管理装置ｃに記憶する管理ラインｂとを有しており、この演算制御管理装置ｃは選別包装ラインａを制御するためにも用いられている。
【００３４】
選別包装ラインａは、生産者から持ち込まれた農産物を一定速度で搬送する選別コンベア１を有し、選別コンベア１には、搬送方向上流側に農産物の例えば重量、外径、透過光等を計測する評価装置としての計測装置２が配置され、さらに計測装置２よりも下流側に多数の仕分搬出コンベア３が配置されている。図１に示す選別包装装置は概略を示しており、選別コンベア１上の農産物を等・階級毎に各仕分搬出コンベア３に排出する排出装置（不図示）が設けられている。
【００３５】
本実施の形態において、計測装置２は、一度に農産物の等級（優、秀、良等）及び階級（ＬＬ、Ｌ、Ｍ、Ｓ等）を評価するための計測装置を示しているが、単に階級のみを計測するものであっても良く、この場合計測装置２よりも搬送方向上流側において手選別で等級を判定する手選別領域を設ける。
【００３６】
演算制御管理装置ｃは、計測装置２の計測データに基づいて個々の農産物の等級及び階級等の仕分区分を判定し、仕分け信号を対応する前記排出装置に出力する。
【００３７】
各仕分搬出コンベア３の搬送端には、箱詰装置を構成する自動秤量機４が配置されており、自動秤量機４が保持する空の段ボール箱６内に同一等・階級の農産物としてのみかんが所定重量となるまで落下供給される。段ボール箱６内に所定重量のみかんが供給されると、仕分搬出コンベア３の搬送端は不図示のストッパーによってみかんの落下が阻止されてみかんがプールされ、その間に次の空の段ボール箱６が自動秤量機４にセットされると、再び農産物としてのみかんが自動秤量機４上の段ボール箱６に供給される。
【００３８】
箱詰装置は、自動秤量機４によって所定重量の農産物としてのみかんが段ボール箱６に箱詰されると、当該段ボール箱６を自動秤量機４からおろすと共に、秤量機４毎に設けたラベラー５によって段ボール箱６の所定位置に段ボール箱番号表示ラベル７を貼り付ける。なお、本実施の形態において、ラベラー５によって段ボール箱番号表示ラベル７が段ボール箱６に貼り付けられると、直ちに当該段ボール箱６が管理ラインｂに向けて送り出される。
【００３９】
段ボール箱番号表示ラベル７には、ラベラー５が配置されている自動秤量機４の機番と、連番で示される固有識別表示番号（段ボール箱番号）とが予め印刷されている。なお、ラベラー５によって段ボール箱番号表示ラベル７を段ボール箱６に貼り付ける代わりに、プリンターによって自動秤量機４の機番と段ボール箱番号を表示するようにしても良い。また、表示形態としては、バーコード表示としているが、他の表示方法であっても良い。
【００４０】
各ラベラー５により段ボール箱番号表示ラベル７が貼り付けられた各段ボール箱６は、直ちに搬送コンベア８に排出されて合流する。
【００４１】
搬送コンベア８上を搬送される各自動秤量機４を経た段ボール箱６は、搬送コンベア８の所定位置に配置した先端位置検出センサ９により検出される。先端位置検出センサ９で検出した検出信号は演算制御管理装置ｃに送られる。また、先端位置検出センサ９が段ボール箱６の先端を検出するタイミングで、段ボール箱６に貼り付けた段ボール箱番号表示ラベル７にバーコードによって表示されている秤量機４の機番と段ボール箱番号をバーコードリーダー１０で読み取る。
【００４２】
演算制御管理装置ｃは、先端位置検出センサ９から検出信号が送信されると、検出時刻とバーコードリーダー１０で読み取った当該段ボール箱６の段ボール箱番号とをサーバに記憶し、後述する生産者名を特定する処理によって併せて読み取った秤量機４の機番等に基づいて当該段ボール箱６に箱詰されている農産物の生産者名を特定し、段ボール箱番号に対応して生産者名を記憶する。したがって、段ボール箱番号からその段ボール箱６に箱詰された農産物の生産者名を検索することが可能となる。
【００４３】
生産者の判別は、荷口の切替を行う場合に必要となり、作業者は新たな荷口の農産物を選別コンベア１に供給する前に操作卓ｄを操作して新たな荷口の生産者名、品種、品目名等を演算制御管理装置ｃにインプットすると共に、これらのデータをインプットした後に荷口の荷替り設定を指示する。
【００４４】
荷口の切替設定が行なわれた後に選別コンベア１に供給された農産物（例えばみかん）の生産者が、次に荷口の切替が設定されるまでの新たな荷口の生産者として判別されるが、荷口の切替り時において、選別コンベア１上を計測装置２に向かって移動する農産物中、荷替り前の生産者（例えばＡ）と、荷替り後の生産者（例えばＢ）との境目の特定方法は、例えば計測装置２に対して選別コンベア１の搬送方向手前側に、選別コンベア１上を搬送される農産物の有無をチェックする荷替りセンサ（不図示）を設け、操作卓ｄで設定した前記荷替り設定後にこの荷替りセンサを通過した農産物が荷口切替後の生産者Ｂの農産物であると判別する方法で、選別コンベア１の搬送速度等から荷口の切替後における農産物が計測装置２を通過する時点がこの荷替りセンサの位置と計測装置２との距離より得られる。
【００４５】
そこで、本実施の形態において、演算制御管理装置ｃでは、荷替後の最初の農産物が計測装置２を通過した時点を起算点（荷替時刻）とし、この荷替時刻から各自動秤量機４において夫々所定時間の経過後に到達した農産物の生産者を生産者Ｂと判定し、それまでに各自動秤量機４に到達している農産物の生産者を荷替り前の生産者Ａと判定している。同様に、生産者Ｂから生産者Ｃへの荷替りが行なわれる場合も同様としている。
【００４６】
図２は、この時間関係を示す概略図で、自動秤量機４がＮ台配置されており、図には１号機（ＮＯ．1）、５号機（ＮＯ．5）、４０号機（ＮＯ．40）を示している。選別コンベア１は搬送方向に沿って農産物を一定速度で搬送するものとし、また選別コンベア１から排出される農産物を仕分搬出コンベア３は一定速度で自動秤量機４に向けて搬送するものとする。このため、計測装置２から各自動秤量機４までの農産物の搬送経路長が予め分かっているので、農産物が計測装置２から各自動秤量機４まで到達するのに要する第１の所要時間（ｔａ１〜ｔａｎ）が夫々求められることになる。
【００４７】
例えば１号機の自動秤量機４までに到達する第１の所要時間（ｔａ1）は１８０秒、５号機の自動秤量機４までに到達する第１の所要時間（ｔａ5）は１８４秒、４０号機の自動秤量機４までに到達する第１の所要時間（ｔａ40）は２１９秒である。但し、これらの第１の所要時間の中で、実際に農産物が到達するのは一箇所の自動秤量機のみであり、他の各自動秤量機４においては夫々の第１の所要時間を経過した後に農産物が到達するので、この農産物を荷替り後の生産者Ｂ、或いは荷替り後の生産者Ｃが生産したものと判定する。
【００４８】
演算制御管理装置ｃにおいて、荷替り信号が操作卓ｄより入力されると、各秤量機毎に荷替り後における先頭の農産物が到達する場合の到達予定時刻が上記した第１の所要時間（ｔａ1〜ｔａｎ）に基づいて設定され、この予定到達時刻を箱詰開始時刻とする。
【００４９】
例えば、生産者Ａの荷口終了による荷替時刻を８時１７分００秒（8：17：00）、生産者Ｂの荷替時刻を8：17：00とすると、生産者Ａの最後の農産物が自動秤量機４に到達する予定時刻は、それぞれ上記した予定到達時刻の経過時までで、１号機の秤量機４については8：20：00までに箱詰されることになる。そして、荷替り後における生産者Ｂの農産物の箱詰開始時刻は、１号機の秤量機４において8：20：00となる。
【００５０】
また、生産者Ｂから生産者Ｃへの荷替開始時刻が8：27：00とすると、生産者Ｂの農産物は8：17：00から8：27：00の間に計測装置２を通過し、例えば１号機の秤量機４においては8：20：00から8：30：00の箱詰作業時刻の間に箱詰が開始されて箱詰が終了する。
【００５１】
なお、生産者Ｂの農産物は、１号機の自動秤量機４では8：20：00から8：30：00までに箱詰されたものとみなし、５号機の秤量機４では8：20：04から8：30：04までに箱詰されたものとみなし、４０号機の秤量機４では8：20：39から8：30：39までに箱詰されたものとみなす。
【００５２】
一方、箱詰終了後、ラベラー５が段ボール箱番号表示ラベル７を段ボール箱６に貼り付け、段ボール箱６が先端位置検出センサ９まで到達するのに要する第２の所要時間（ｔｂ１〜ｔｂｎ）は、上述したように農産物が計測装置２から各自動秤量機４まで到達するのに要する第１の所要時間（ｔａ１〜ｔａｎ）が夫々求められるのと同様にして求められる。例えば、１号機の自動秤量機４と先端位置検出センサ９までの第２の所要時間ｔｂ1は５秒、５号機の自動秤量機４と先端位置検出センサ９までの第２の所要時刻ｔｂ5は１３秒、４０号機の自動秤量機４と先端位置検出センサ９までの第２の所要時刻ｔｂ40は８３秒である。
【００５３】
すなわち、先端位置検出センサ９により段ボール箱６を検出した時の時刻（通過時刻とする）が分かり、且つ自動秤量機４の機番が判明すれば、当該自動秤量機４の機番に応じた第２の所要時間を差し引くことにより、この段ボール箱の当該機番における自動秤量機４での箱詰終了時刻が特定される。そして、演算制御管理装置ｃでは、各機番の自動秤量装置４について、生産者毎の箱詰作業時刻範囲が設定されているので、生産者を特定することができる。
【００５４】
例えば、先端位置検出センサ９が段ボール箱６を検知した通過時刻が例えば8：20：25、その時にバーコードリーダー１０が読み取った自動秤量機４の機番が１号機であると、通過時刻から５秒を差し引いた時刻（箱詰終了時刻）を求める（8：20：20）。そして、この段ボール箱の次に同じ１号機により箱詰された段ボール箱６が検知され、この次箱の箱詰終了時刻が8：20：50であると、この次箱の１号機における箱詰時間帯が8：20：20〜8：20：50であるから、次箱の箱詰に要した時刻の範囲は、１号機の自動秤量機４による生産者Ｂの農産物の箱詰作業時刻（8：20：00〜8：30：00）内であるから、次箱の段ボール箱６内には、生産者Ｂのみの農産物（みかん）が箱詰されているとみなすことができる。
【００５５】
しかし、１号機の自動秤量機４による先箱の箱詰終了時刻が8：29：40で、次箱の箱詰終了時刻が8：30：10（箱詰に要した箱詰時間帯が8：29：40〜8：30：10）であると、次箱の箱詰時間帯が１号機の自動秤量機４による生産者Ｂの農産物の箱詰作業時刻（8：20：00〜8：30：00）を越え、生産者Ｃの箱詰作業時刻内であるため、この段ボール箱６内には生産者Ｂと生産者Ｃのみかんが箱詰されているとみなす。
【００５６】
また、機番４０の自動秤量機４による箱詰時間帯が8：00：00から12：00：00とみなされた場合には、生産者Ａ、生産者Ｂ、生産者Ｃ・・・・・という複数の生産者の箱詰時刻内にわたっているため、これら複数の生産者の生産した農産物が箱詰されていると推定される。
【００５７】
このように、演算制御管理装置ｃには、荷口の切替を演算制御管理装置ｃに指示することにより、複数の自動秤量機４にそれぞれ対応して生産者別の箱詰開始から箱詰終了までの箱詰作業時刻を自動的に設定し、さらに各自動秤量機４にて箱詰終了後の段ボール箱である製品箱を搬送コンベアに合流させて搬送させる途中において、先端位置検出センサ９に到達する製品箱の通過時刻と、バーコードリーダー１０にて読み取った当該製品箱を箱詰した自動秤量機の機番に基づき当該機番の自動秤量機における先箱の箱詰終了時刻と次箱の箱詰終了時刻とを求め、次箱の箱詰時間帯を求める。そして、この特定された機番の自動秤量機４による箱詰めに要した次箱の箱詰時間帯と、当該機番の自動秤量機４における設定された生産者別の箱詰開始から終了までの箱詰作業時刻とを対比することにより、当該製品箱（次箱）に箱詰されている農産物の生産者を特定し、バーコードリーダー１０で読み取った段ボール箱番号に対応して特定した生産者名を記憶させることができる。その際、製品箱内に箱詰されている農産物の生産者が複数にわたることも特定することができる。
【００５８】
このため、出荷後に客先より電話などで問い合わせがあった場合、製品箱（段ボール箱）の側面に貼り付けたラベル７に表示した機番と段ボール箱番号の開示を受け、キーボードなどの入力装置を用いてこの開示された機番と段ボール箱番号のデータを管理パソコンに入力することで、演算制御管理装置ｃに記憶している生産者名を割り出すことが可能となる。
【００５９】
また、自動秤量機４の機番は農産物の等級及び階級等の仕分区分を表す記号としての役割を果たしているので、機番と仕分区分を予め対応させることで、仕分区分別の製品管理（重量等）を生産者別に行うことができる。
【００６０】
なお、上記した実施の形態において、製品箱６が先端位置検出センサ９に到達した時刻と、バーコードリーダー１０で読み取った自動秤量機４の機番に基づいて得られた第２の所要時間によって、当該機番の自動秤量機４での箱詰終了時刻を求め、生産者を特定できるので、判明した生産者名を図１に示すように、プリンター１１により製品箱６の側面に直接印字することもできる。この場合、コンピュータによる各製品箱単位での生産者管理が不要であれば、ラベル７に製品箱の固有識別番号を表示しなくても良い。
【００６１】
また、プリンター１１は、バーコードリーダー１０で読み取った自動秤量機４の機番に基づいて得られた等級、階級等の仕分区分を製品箱６の側面に印字する。
【００６２】
さらに、上記した実施の形態では、製品箱が先端位置検出センサ９へ到達するのに要した第２の所要時間を用いて箱詰終了時刻を求め、荷替りに伴う複数の生産者の農産物が夫々一つの製品箱内に箱詰されているか否かも判別して生産者名を特定できるようにしているが、第２の所要時間を用いなくても生産者を特定することができる。
【００６３】
すなわち、ラベラー５に代えてプリンターを配置し、箱詰終了後に製品箱６の側面にこのプリンターで生産者名を直接印字するもので、前述したように荷口切替の設定後、農産物が計測装置２から自動秤量機４に到達するのに要する前記第１の所要時間に基づいて、各自動秤量機４における生産者別の箱詰開始時刻から箱詰終了時刻までの箱詰作業時刻が得られるから、製品箱６内への農産物の箱詰終了時点で、箱詰が行なわれた農産物の生産者が判明するので、この判明した生産者名をラベラー５に代えたプリンターに出力すればよい。
【００６４】
上記した実施の形態においては、荷口の切り替えに伴って製品箱に箱詰されている農産物の生産者名を特定できるようにしている。その際、箱詰装置としての自動秤量機４の機番を製品箱６に形成しているが、製品箱６に形成される箱詰装置の号機番号（箱詰装置の固有の識別情報）と、該各箱詰装置毎に予め設定されている仕分区分（各箱詰装置に対してどういう仕分区分「等階級」のものを箱詰するかが演算制御管理装置ｃに予め設定されている）とをリンクさせて記憶し、該各箱詰装置から製品搬送コンベア上に送り出される製品箱の仕分けに際し、箱詰装置の号機番号を読み取ることで仕分区分を読み出し、この仕分区分に基づいて製品箱を仕分けすることができる。
【００６５】
図１において、先端位置検出センサ９を通過した製品箱６は、封函機１２により封函され、搬送コンベア１３上を搬送される。この搬送コンベア１３の搬送方向下流側には、製品箱６を箱詰されている農産物の仕分区分別に一箱単位で排出コンベア１６（１６a、１６ｂ、１６ｃ・・・）に排出する排出装置１５（１５a、１５ｂ、１５ｃ・・・）が設けられている。そして、搬送コンベア１３上を移動する製品箱６に貼り付けた段ボール箱表示ラベル７に表示されている箱詰装置としての秤量機４の機番をバーコードリーダー１４で読み取り、このバーコードリーダー１４で読み取った秤量機４の機番にリンクして記憶している仕分区分を読み出し、この仕分区分に対応する排出装置１５を動作させて該当する製品箱６を排出コンベア１６へ排出させる。
【００６６】
この場合、等階級といった仕分区分別農産物を箱詰している製品箱が搬送コンベアに合流して搬送される際に、製品箱を仕分区分別に仕分して排出するという要求に対し、簡単な構成で実現することができる。
【００６７】
すなわち、搬送コンベア１３に一つのバーコードリーダー１４を設け、このバーコードリーダー１４で箱詰装置の機番を読み取るだけで各製品箱に箱詰されている農産物の等階級等の仕分区分に応じた排出コンベア１６に製品箱６を排出することが可能となる。
【００６８】
また、箱詰後に製品箱にトラブルが発生した場合、現場において製品箱の側面に表示されている機番から箱詰装置を特定できるので、トラブル発生に対する対応が容易に行える。
【００６９】
なお、上記した実施の形態において、箱詰装置の機番が仕分区分に対応していることを利用し、生産者別に製品箱単位で製品管理を行っているが、製品箱には箱詰装置の機番に加えて各製品箱の固有の識別番号である段ボール箱番号（製品箱番号）を表示しており（実際には製品箱番号と箱詰装置の機番とは一連に表示している）、この製品箱番号及び箱詰装置の機番を読み取ることで、この機番とリンクして記憶している少なくとも生産者名を含む仕分区分を特定し、更に前記製品箱番号と箱詰装置の連番となっている機番との組み合わせにより製品箱単位毎のシリアル番号が設定されることになるので、このシリアル番号と仕分区分（固体情報）をリンクさせて記憶し、トレーサビリティーを実施する際に前記シリアル番号を問い合わせることで、生産者や仕分区分を知ることができる。
（第２のの実施の形態）
図３は第２の実施の形態を示す農産物選別包装施設における製品箱管理システムのブロック図である。
【００７０】
本実施の形態において、図１に示す実施の形態と異なる点は、自動秤量機（箱詰装置）４の固有の識別情報を製品箱６に形成する手段として、針孔形成装置１７を用いている点にある。針孔形成装置１７は、段ボール製の製品箱６に針を突き刺して針孔を形成するという単純な構成で、各自動秤量機４に対応して配置されている針孔形成装置１７は製品箱６の側面に対して異なる位置に針孔を形成するようになっている。すなわち、製品箱６の表面の所定の領域が針孔形成領域に設定され、この針孔形成領域内には、設置している自動秤量４に対応して針孔形成部が決められている。
【００７１】
このため、１号機の機番の自動秤量機４で箱詰が行なわれた製品箱には、１号機を示す位置の前記針孔形成部に１号機用針孔形成装置１７により針孔ＮＨが形成され、同様にして２号機の機番の自動秤量機４で箱詰が行なわれた製品箱には２号機を示す位置の前記針孔形成部に２号機用針孔形成装置１７により針孔ＮＨが形成される。
【００７２】
そして、図１に示す実施の形態では、製品箱の固有の識別番号を各自動秤量機４に対応して配置したラベラー５により貼り付けたラベル７に予め印刷されていたが、本実施の形態では、搬送コンベア８を搬送される各自動秤量機４から合流した製品箱に連番の製品箱番号が予め印刷されているラベル２０ａをラベラー２０によって搬送を阻害されることなく貼り付けるようにしている（先端位置検出センサ９への到達時間が変わらない）。
【００７３】
ラベル２０ａを貼り付けた時点において、生産者の特定はできないが、針孔ＮＨが形成されている位置を針孔位置検出装置１８で検出することにより、自動秤量機の機番が特定でき、また上述のように、先端位置検出センサ９に到達した時刻と該自動秤量機の機番の特定で生産者の氏名が特定できる。この針孔位置検出装置１８は例えばＣＭＯＳからなる撮像装置により構成され、製品箱６の針孔形成領域を全域に渡り撮影する。撮像装置により撮影された撮影情報に基づいて針孔ＮＨが形成されている位置が割り出せるので、針孔ＮＨの形成位置がどの針孔形成部に存在しているかを特定することにより、自動秤量機４の機番を特定することができる。
【００７４】
そして、演算制御管理装置ｃにおいて、バーコードリーダー１０で読み取ったラベル２０ａの連番からなる製品箱番号に生産者氏名と自動秤量機４の機番に基づく農産物の仕分区分結果をリンクさせてサーバに記憶させる。
【００７５】
また、封函機１２により封函された製品箱６は搬送コンベア１３上を搬送され、針孔位置検出装置１９により針孔ＮＨの形成位置が読み取られて上述のように自動秤量機４の機番が特定される。そして、図１に示す実施の形態と同様に、自動秤量機４の機番に基づいて仕分区分別に排出装置１５により所定の排出コンベア１６に排出される。
【００７６】
このように、本実施の形態では、複数用意された自動秤量機４等の箱詰装置の機番を示す固有の識別情報の形成手段として針孔形成装置１７を用い、撮像装置からなる針孔位置検出装置１８により針孔ＮＨの形成位置を割り出して箱詰装置の機番を特定することで農産物の仕分区分を特定し、さらに１箇所に設けた１台のラベラーにより例えば連番で製品箱番号が付与されているラベルを製品箱６に貼り付けることにより（印字手段により直接製品箱番号を製品箱に形成しても良い）、製品箱を市場等に流通させた際に、生産者の氏名と仕分区分とを製品箱番号から検索することができる。また、製品箱６の針孔ＮＨを針孔位置検出装置１９で検出することで、製品箱単位での仕分区分別の排出を可能としている。
【００７７】
なお、本実施の形態では、ラベラー２０を各自動秤量機４から合流した製品箱を搬送する搬送コンベア８上に設けたが、各自動秤量機４に空の箱を供給する空箱供給ライン（不図示）において設置することもできる。
（第３の実施の形態）
図４は本発明の第３の実施の形態を示す農産物選別包装施設における製品箱管理システムのブロック図である。
【００７８】
本第３の実施の形態は、上記した第２の実施の形態の変形例を示している。図３に示す第２の実施の形態にあっては、先端位置検出センサ９に到達した製品箱６の針孔ＮＨを針孔位置検出装置１８により検出し、また排出装置１５の手前位置に到達した製品箱６の針孔ＮＨを他の針孔位置検出装置１９で検出しており、高価な針孔位置検出装置を２台設置している。
【００７９】
これに対し、本実施の形態では、図４に示すように、搬送コンベア８上を先端位置検出センサ９に向けて搬送される製品箱６に対し、針孔位置検出装置１８により製品箱６の側面に形成されている針孔ＮＨの位置を検出し、検出した針孔位置情報を演算制御管理装置ｃに出力する。
【００８０】
また、この検出位置には、演算制御装置ｃによって特定された自動秤量機４の機番を示す固有の識別情報をバーコードラベル２１ａとして貼り付けるラベラー２１を備えている。なお、ラベル２１ａには、上述した箱詰装置の機番としての固有の識別情報のみを表示する方式、あるいは上述した自動秤量機４の機番を表示する方式に製品箱の固有の識別情報を合わせて表示する方式を採用することができる。後者の製品箱の固有の識別情報を併記する方式の場合、ラベラー２１には、連番の製品箱番号が印刷されたラベルがバーコード表示により設けられる。これにより、針孔位置検出装置１８で検出した自動秤量機４の機番に基づいて該複数種類の機番用ラベルから所望の機番のラベルを製品箱６の側面に貼り付けると共に、連番の製品箱番号が印刷されたラベルを貼り付ける。
【００８１】
また、この検出位置から製品箱が先端位置検出センサ９に到達する際に、バーコードリーダー１０により前記ラベル２１ａの機番としての固有情報を読み取ると、この固有の識別情報と対応して演算制御装置ｃに記憶している仕分区分（等級、階級）を読み出し、この仕分区分を製品箱６の側面にプリンター１１により印刷する。
【００８２】
封函機１２による封函後において製品箱６の仕分を行なう際、バーコードリーダー２２でラベル２１ａの機番としての固有情報を読み取ると、自動秤量機４の機番が判明し、結果として仕分区分が判明し、製品箱６を仕分区分別に仕分することができる。
【００８３】
一方、製品箱６の出荷後においては、製品箱６の製品箱番号に基づいて、演算制御装置ｃのサーバに記憶している仕分区分や生産者情報を知ることができる。
【００８４】
なお、ラベル２１ａに表示する自動秤量機４の機番、製品箱の製品箱番号は共にバーコードにて表示しているが、文字又は記号を用いて表示するようにしても良い。
【００８５】
このように、本実施の形態では、高価な針孔位置検出装置が１台で済むため、上記した第２の実施の形態よりも廉価なシステムを提供することができる。
【図面の簡単な説明】
【００８６】
【図１】本発明の第１の実施の形態を示す農産物選別包装施設における製品箱管理システムのブロック図。
【図２】図１の農産物選別包装施設における製品箱管理システムの第１、第２の所要時間及び荷口の切替に伴う箱詰開始時刻と箱詰終了時刻の関係を示す図。
【図３】本発明の第２の実施の形態を示す農産物選別包装施設における製品箱管理システムのブロック図。
【図４】本発明の第３の実施の形態を示す農産物選別包装施設における製品箱管理システムのブロック図。
【符号の説明】
【００８７】
１  選別コンベア
２  計測装置
３  仕分搬出コンベア
４  自動秤量機
５  ラベラー
６  段ボール箱（製品箱）
７  段ボール箱番号表示ラベル
８  搬送コンベア
９  先端位置検出センサ
１０  バーコードリーダー
１１  プリンター
１２  封函機
１３  搬送コンベア
１４、２２  バーコードリーダー
１５（１５ａ、１５ｂ、１５ｃ）  排出装置
１６（１６ａ、１６ｂ、１６ｃ）  排出コンベア
１７  針孔形成装置
１８、１９  針孔位置検出装置
２０、２１  ラベラー
２０ａ、２１ａ  ラベル
ａ  選別包装ライン
ｂ  管理ライン
ｃ  演算制御管理装置
ｄ  操作卓
ＮＨ  針孔
【図１】
2005103512.tif 000003
【図２】
2005103512.tif 000004
【図３】
2005103512.tif 000005
【図４】
2005103512.tif 000006